【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
台所用品及び食器類の機械洗浄用のツーインワン又はスリーインワン洗浄及び濯ぎ用組成物中に用いられる汚れ再付着防止剤であって、下記（ａ）〜（ｃ）を重合した単位の形で含む水溶性又は水分散性の両性コポリマーから成る、前記汚れ再付着防止剤。
（ａ）一般式Ｉ：
【化１】
2005527686.tif 000001
の少なくとも１種のモノマー化合物
｛ここで、Ｒ1及びＲ4は互いに独立的に水素原子又は直鎖状若しくは分枝鎖状Ｃ1〜Ｃ6アルキル基を表わし；
Ｒ2及びＲ3は互いに独立的にアルキル、ヒドロアルキル又はアミノアルキル基（ここで、アルキル基は直鎖状又は分枝鎖状Ｃ1〜Ｃ6鎖である）を表わし；
ｎ及びｍは１〜３の範囲の整数であり；
Ｘは前記ポリマーの水溶性又は水分散性性状に適合できる対イオンを表わす｝；
（ｂ）酸性官能基を含有し、（ａ）と共重合可能であり、用途媒体中でイオン化することができる少なくとも１種の親水性モノマー；
（ｃ）適宜に、１個又はそれより多くの親水性基を有し、（ａ）及び（ｂ）と共重合可能である、中性荷電の少なくとも１種のエチレン性不飽和含有親水性モノマー化合物。
（ここで、（ａ）／（ｂ）のモル比は（１５／８５）〜（５０／５０）未満の範囲である。）
【請求項２】
Ｒ1が水素を表わし、
Ｒ2がメチルを表わし、
Ｒ3がメチルを表わし、
Ｒ4が水素を表わし、且つ
ｍ及びｎが１に等しい
ことを特徴とする、請求項１に記載の汚れ再付着防止剤。
【請求項３】
前記イオンＸ-がハライド、硫酸、硫酸水素、リン酸、クエン酸、ギ酸及び酢酸イオンから選択されることを特徴とする、請求項１又は２に記載の汚れ再付着防止剤。
【請求項４】
前記モノマー（ａ）が次の構造のＤＡＤＭＡＣであることを特徴とする、請求項１〜３のいずれかに記載の汚れ再付着防止剤。
【化２】
2005527686.tif 000002
（ここで、Ｘ-はＣｌ-を表わす。）
【請求項５】
前記モノマー（ｂ）が水溶性の一エチレン性不飽和Ｃ3〜Ｃ8カルボン酸、スルホン酸、硫酸、ホスホン酸又はリン酸、それらの酸無水物及びそれらの水溶性塩から選択されることを特徴とする、請求項１〜４のいずれかに記載の汚れ再付着防止剤。
【請求項６】
前記の随意としてのモノマー（ｃ）がアクリルアミド、ビニルアルコール、アクリル酸及びメタクリル酸のＣ1〜Ｃ4アルキルエステル、アクリル酸及びメタクリル酸のＣ1〜Ｃ4ヒドロキシアルキルエステル、並びにアクリル酸及びメタクリル酸のポリアルコキシル化エステルから選択されることを特徴とする、請求項１〜５のいずれかに記載の汚れ再付着防止剤。
【請求項７】
前記の水溶性又は水分散性の両性コポリマーが
・ＤＡＤＭＡＣ／アクリル酸コポリマー；
・ＤＡＤＭＡＣ／マレイン酸コポリマー；
・ＤＡＤＭＡＣ／イタコン酸コポリマー；
（ＤＡＤＭＡＣ／酸モノマーのモル比は、（１５／８５）〜（５０／５０）未満の範囲である）
から選択されることを特徴とする、請求項１〜６のいずれかに記載の汚れ再付着防止剤。
【請求項８】
前記のツーインワン又はスリーインワン洗浄及び濯ぎ用組成物中における前記の水溶性又は水分散性の両性コポリマーの量が、組成物の総重量に対する重量として０．０１〜１０％の範囲であることを特徴とする、請求項１〜７のいずれかに記載の汚れ再付着防止剤。
【請求項９】
前記洗浄及び濯ぎ用組成物がさらに少なくとも１種の界面活性剤を含むことを特徴とする、請求項１〜８のいずれかに記載の汚れ再付着防止剤。
【請求項１０】
前記界面活性剤がノニオン性のものであることを特徴とする、請求項９に記載の汚れ再付着防止剤。
【請求項１１】
前記の水溶性又は水分散性の両性コポリマーが、該両性コポリマーを水溶性の固体状無機担体上に吸着及び／又は吸収させた状態で含む固体状予備配合製品の形にあることを特徴とする、請求項１〜１０のいずれかに記載の汚れ再付着防止剤。
【請求項１２】
前記無機担体がトリポリリン酸ナトリウムであることを特徴とする、請求項１１に記載の汚れ再付着防止剤。
【請求項１３】
前記両性コポリマー／無機担体の重量比が、乾燥物質に関して表わして、５／９５〜５０／５０であることを特徴とする、請求項１１又は１２に記載の汚れ再付着防止剤。
【請求項１４】
自動食器洗い機用のツーインワン又はスリーインワン洗浄及び濯ぎ用組成物用に意図される乾燥固体状予備配合製品であって、少なくとも１種の水溶性無機材料から成る微粒状固体状担体上に請求項１〜７のいずれかに記載の両性コポリマーの溶液又は分散体を吸着及び／又は吸収させたものから本質的に成る、前記予備配合製品。
【請求項１５】
前記無機担体がトリポリリン酸ナトリウムであることを特徴とする、請求項１４に記載の予備配合製品。
【請求項１６】
前記両性コポリマー／無機担体の重量比が、乾燥物質に関して表わして、５／９５〜５０／５０であることを特徴とする、請求項１４又は１５に記載の予備配合製品。
【請求項１７】
前記洗浄及び濯ぎ用組成物が液体、ゲル、ばら粉末又は圧縮粉末の形にあることを特徴とする、請求項１〜１３のいずれかに記載の汚れ再付着防止剤。
【請求項１８】
台所用品及び食器類の機械洗浄用のツーインワン又はスリーインワン洗浄及び濯ぎ用組成物の汚れ再付着防止特性を強化する方法であって、請求項１〜７のいずれかに記載の汚れ再付着防止剤又は請求項１４〜１６のいずれかに記載の予備配合製品を前記組成物に有効量で添加することから成る、前記方法。
【請求項１９】
前記ツーインワン又はスリーインワン洗浄及び濯ぎ用組成物中の前記の水溶性又は水分散性の両性コポリマーの量が、組成物の総重量に対する重量として０．０１〜１０％の範囲であることを特徴とする、請求項１８に記載の方法。
【請求項２０】
・トリポリリン酸ナトリウム少なくとも２０重量％、
・１〜４の範囲のＳｉＯ2／Ｎａ2Ｏモル比を有するケイ酸ナトリウム  １５重量％未満、
・請求項１〜７のいずれかに記載の使用の両性コポリマー  ０．０２〜０．５重量％、
・ノニオン性界面活性剤  ０．１〜２０重量％
を含む、機械食器洗い用２イン１又は３イン１洗浄及び濯ぎ用配合物。
【請求項２１】
前記ケイ酸ナトリウムが、ＳｉＯ2／Ｎａ2Ｏ比が１．５〜３．５の範囲であってよい水和ケイ酸ナトリウムと炭酸ナトリウムとの、ケイ酸塩対炭酸塩の重量比が５／９５〜４５／５５の範囲である共粒体の形にあることを特徴とする、請求項２０に記載の配合物。
【手続補正２】
【補正対象書類名】明細書
【補正対象項目名】００２６
【補正方法】変更
【補正の内容】
【００２６】
式（Ｉ）のモノマーを含む両性コポリマー／界面活性剤の重量比は、１／２〜１／１００の範囲であるのが有利であり、１／５〜１／５０の範囲であるのがより一層有利である。
【手続補正３】
【補正対象書類名】明細書
【補正対象項目名】００６５
【補正方法】変更
【補正の内容】
【００６５】
対照例やモル分布５０／５０のＡＡ／ＤＡＤＭＡＣコポリマー、モル分布６０／４０のＡＡ／ＤＩＱＵＡＴコポリマー又はモル分布６０／４０のＡＡ／ＭＡＰＴＡＣコポリマーと比較して、モル分布８５／１５及び６０／４０のＡＡ／ＤＡＤＭＡＣコポリマー０．２％を存在させた場合には、汚れ再付着防止及び濯ぎに関して真の利点がもたらされることがわかる。
【手続補正４】
【補正対象書類名】明細書
【補正対象項目名】００７０
【補正方法】変更
【補正の内容】
【００７０】
対照例やモル分布５０／５０のＡＡ／ＤＡＤＭＡＣコポリマー、モル分布６０／４０のＡＡ／ＤＩＱＵＡＴコポリマー又はモル分布６０／４０のＡＡ／ＭＡＰＴＡＣコポリマーと比較して、モル分布８５／１５及び６０／４０のＡＡ／ＤＡＤＭＡＣコポリマー０．１％を存在させた場合には、汚れ再付着防止及び濯ぎに関して真の利点がもたらされることがわかる。